(57)【要約】【課題】  ヘッド本体に該ヘッド本体と別体なウエイトを設ける際、両者間の慣性の相違に基く弊害をなくす。【解決手段】  ヘッド本体１に凹部12を形成し、該凹部12にウエイト11を、ゲル14を介して設ける。ウエイト11の比重をヘッド本体１の比重よりも大きくする。打撃に伴うヘッド本体１とウエイト11との慣性の相違をゲル14の変形によって吸収できると共に、打撃に伴うゲル14の変形によってウエイト11に付与される衝撃力を吸収できる。凹部12にゲル14を介してウエイト11を安定的に収納できる。また、ヘッド本体１の重心位置とフェース３間距離を大きくでき、フェース３におけるスイートスポットを広くすることができる。【選択図】図１
2006247068.tif 000002
【特許請求の範囲】
【請求項１】
前面にフェースを形成し、下部にソールを形成すると共に上部に上面を形成し、一側にトウを形成すると共に他側にシャフト取り付け部を設けたヘッド本体と、前記シャフト取り付け部に連結したシャフトとを備えたゴルフクラブにおいて、前記ヘッド本体に凹部を形成し、該凹部に前記ヘッド本体より比重が大きく該ヘッド本体と別体なウエイトを、ゲルを介して設けたことを特徴とするゴルフクラブ。
【請求項２】
前記ゲルは露出していることを特徴とする請求項１記載のゴルフクラブ。
【発明の詳細な説明】
【技術分野】
【０００１】
本発明は、ゴルフクラブに関するものである。
【背景技術】
【０００２】
従来、この種のものとして前面にフェースを形成し下部にソールを形成したヘッド本体にシャフトを接続したアイアン形ゴルフクラブにおいて、前記ソールに別体のウエイトを固着したものが公知である（例えば特許文献１）。
【０００３】
また、金属以外の材料をヘッドに設けたものとして、背面に凹部を有するアイアン型のゴルフクラブヘッドにおいて、凹部にヤング率を１〜10000ＭＰaに設定した有機材料を付設し、前記有機材料を加硫ゴム、さらに詳しくは、ブタジエンゴム、又は天然ゴムやＳＢＲや、また、熱硬化性樹脂の場合、ウレタン樹脂やエポキシ樹脂等又、熱可塑性樹脂の場合、ポリエチレン、ポリスチレン、ポリアミド、及びポリ塩化ビニル等製とするゴルフクラブヘッドも公知である（例えば特許文献２）。
【特許文献１】特開２００３−１７５１３５号公報
【特許文献２】特開平９−３２２９５２号公報
【発明の開示】
【発明が解決しようとする課題】
【０００４】
前記従来技術においては、ヘッドに別体のウエイトを直接密着して形成したものであるが、例えばタングステン合金などのヘッドに例えばチタンや鉄、ステンレス鋼などに比べ高比重の素材をウエイトとして用いると、ウエイトはヘッドとの慣性が異なってしまうため、この慣性の違いにより打感が低下するおそれがある。また前記慣性の違いにより打撃の衝撃によりウエイトがはずれることが懸念される。
【０００５】
解決しようとする問題点は、ヘッド本体に該ヘッド本体と別体なウエイトを設ける際、両者間の慣性の相違に基く弊害をなくす点である。
【課題を解決するための手段】
【０００６】
請求項１の発明は、前面にフェースを形成し、下部にソールを形成すると共に上部に上面を形成し、一側にトウを形成すると共に他側にシャフト取り付け部を設けたヘッド本体と、前記シャフト取り付け部に連結したシャフトとを備えたゴルフクラブにおいて、前記ヘッド本体に凹部を形成し、該凹部に前記ヘッド本体より比重が大きく該ヘッド本体と別体なウエイトを、ゲルを介して設けたことを特徴とするゴルフクラブである。
【０００７】
請求項２の発明は、前記ゲルは露出していることを特徴とする請求項１記載のゴルフクラブである。
【発明の効果】
【０００８】
請求項１の発明によれば、打撃に伴うヘッド本体と別体なウエイトとの慣性の相違をゲルの変形によって吸収して、別体なウエイトに伴う弊害をなくすことができる。さらに、凹部にゲルを介してウエイトを安定的に収納でき、ヘッド本体の重心位置とフェース間距離を大きくでき、フェースにおけるスイートスポットを広くすることができる。
【０００９】
請求項２の発明によれば、ゲルの変形が凹部の内部を超えて大きく変形できるので、いっそう大きな慣性の相違に耐えることができる。
【発明を実施するための最良の形態】
【００１０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１１】
図１〜図３は実施例１を示しており、アイアン形ゴルフクラブはアイアン形のヘッド本体１とシャフト２を備えており、前記ヘッド本体１は前面にゴルフボール（図示せず）を打撃するためのフェース３が形成され、このフェース３の上部にトップ等と称する上面４、下部にソール５、一側にトウ６、他側にヒール７を形成している。そしてヒール７の上部にホーゼルなどと称するシャフト取り付け部８を斜め上方へ突設すると共に、該シャフト取り付け部８にシャフト２の下端を連結したものである。さらに、ヘッド本体１の背面９の中央にキャビティ等と称する背面凹部10を形成している。
【００１２】
そして、背面９の下部にヘッド本体１とは別体なウエイト11を設ける。このウエイト11はヘッド本体１よりも高比重の金属素材であって、直方体形状に形成されている。そしてこのウエイト11は、背面９に形成された凹部12に収納されて取り付けられており、凹部12は後方を開口部13として直方体形状や円柱形状などに形成されたものであり、凹部12の幅Ｗ、高さＨ及び奥行きＤはウエイト11の幅ｗ、高さｈ及び奥行きｄよりもそれぞれ大きく形成している。そして、凹部12とウエイト11との隙間にはゲル14が充填されている。このゲル（ＧＥＬ）14は、固体と液体とからなる２相のコロイド系であって、コロイド溶液が流動性を失い、多少の弾性と固さとをもってゼリー状に固化したものであり、このゲル14の背面15は後方に露出しており、さらにこの背面15にウエイト11の背面16が後方に露出している。
【００１３】
前記ゲル14の物性としては、常温、大気圧で比重０．５〜１．２、好ましくは０．９〜１．１、さらに好ましくは１．０５〜１．０６、硬さは針入度（１/10ｍｍ）５０〜２００、或いはアスカーＣ  ２５〜６５、好ましくは針入度（１/10ｍｍ）５０〜１０５、或いはアスカーＣ  ３０〜５５、引張強度０．０２〜２．５ＭＰａ、好ましくは０．２〜２．０ＭＰａ、さらに好ましくは０．２３〜１．２３ＭＰａ、伸び（ＪＩＳＫ6251）２００〜８００％、好ましくは４００〜７５０％、ヤング率３０〜１５００ｋＰａ、好ましくは３０〜１５０ｋＰａであり、さらに圧縮永久歪が１０％以下のもの、好ましくは圧縮永久歪が５％以下のものである。尚、針入度（１/10ｍｍ）については、所定重量の針が一定時間にゲルに入り込む深さを硬さとして表しているものであり（ＪＩＳＫ2207）、またアスカーＣ  は、ゴム硬度計によるもので、バネ圧力により突き出している押し針をゲル表面に接触させた際、押し戻される距離を硬さとして表している（日本ゴム協会標準規格）。このようなゲル14をゴルフクラブに取り付けることが好ましい。
【００１４】
したがって、ヘッド本体１においては背面９にウエイト11を設けたことにより、ヘッド本体１の重心位置とフェース３間距離を大きくできることにより、フェース３におけるスイートスポットを広くすることができる。そして、ボール（図示せず）をヘッド本体１のフェース３により打撃する際、一体化されて同一比重を有するヘッド本体１と、ヘッド本体１の背面９に設けられ比重の大きいウエイト11とは比重差に起因して異なる慣性、すなわちヘッド本体１より比重の高いウエイト11は、ヘッド本体１よりも大きい慣性を有することになるので、この慣性の違いにより打感が低下するおそれがあるが、ウエイト11は、凹部12にゲル14を介して収納されているので、打撃に伴う前記慣性の相違をゲル14の変形によって吸収し、この結果打感の低下を防止できる。さらに打撃に伴うゲル14の変形によってウエイト11に付与される衝撃力を吸収でき、この結果打撃の衝撃によりウエイト11がはずれることを防止することができる。
【００１５】
以上のように前記実施例においては、前記ヘッド本体１に該ヘッド本体１と比重の異なるウエイト11を、ゲル14を介して設けたことにより、打撃に伴うヘッド本体１とウエイト11との慣性の相違をゲル14の変形によって吸収できると共に、打撃に伴うゲル14の変形によってウエイト11に付与される衝撃力を吸収できる。さらに、前記ヘッド本体１に凹部12を形成し、該凹部12にウエイト11を、ゲル14を介して設けたことにより、凹部12にゲル14を介してウエイト11を安定的に収納できる。また、ウエイト11の比重をヘッド本体１の比重よりも大きくすることで、ヘッド本体１の重心位置とフェース３間距離を大きくでき、フェース３におけるスイートスポットを広くすることができる。
【００１６】
しかも、ゲル14の背面15は後方に露出しているので、ゲル13の変形が凹部12の内部を超えて大きく変形できるので、いっそう大きな慣性の相違、或いは衝撃に耐えることができる。
【実施例２】
【００１７】
図４〜図６は実施例２を示しており、前記実施例１と同様な部分には同一符号を付して、その詳細な説明を省略する。メタルウッド形ゴルフクラブはウッド形のヘッド本体１Ａとシャフト２を備えており、前記ヘッド本体１Ａはフェース３、上面４、ソール５、トウ６、ヒール７、シャフト取り付け部８及び背面９等が金属板よりなる殻によって形成され、これらは一体に接続されている。
【００１８】
そして、背面９の下部にウエイト11Ａを設ける。このウエイト11Ａは、背面９に形成された凹部12Ａに収納されて取り付けられ、そして、ウエイト11Ａと凹部12Ａとの隙間にはゲル14Ａが充填されている。そしてこのゲル14Ａの背面15Ａは後方に露出しており、さらにこの背面15Ａにウエイト11Ａの背面16Ａが後方に露出している。
【００１９】
したがって、凹部12Ａにゲル14Ａを介してウエイト11Ａは収納されているので、ヘッド本体１Ａとウエイト11Ａの慣性の相違を打撃に伴うゲル14Ａの変形によって吸収し、この結果打感の低下を防止できる。さらに打撃に伴うゲル14Ａの変形によってウエイト11Ａに付与される衝撃力を吸収でき、この結果打撃の衝撃によりウエイト11Ａがはずれることを防止することなどができる。
【実施例３】
【００２０】
図７は実施例３を示しており、前記実施例１と同様な部分には同一符号を付して、その詳細な説明を省略する。
【００２１】
ウエイト11は、ヘッド本体１の背面９に形成された凹部12に収納されて取り付けられており、そして、ウエイト11は全面がゲル14により包まれるようにして収納されており、ウエイト11の背面16Ａにはゲル14の背面15Ａが介在し、この背面15Ａが外側にあらわれている。
【００２２】
したがって、凹部12にゲル14を介してウエイト11は埋まって収納されているので、ヘッド本体１とウエイト11の慣性の相違を打撃に伴うゲル14の変形によって吸収し、この結果打感の低下を防止できる。さらに打撃に伴うゲル14Ａの変形によってウエイト11に付与される衝撃力を吸収できると共に、ウエイト11の外側に覆い部材17が設けられているので、打撃の衝撃によりウエイト11がいっそうはずれにくくなる。
【実施例４】
【００２３】
図８は実施例４を示しており、前記実施例１と同様な部分には同一符号を付して、その詳細な説明を省略する。
【００２４】
ウエイト11は、ヘッド本体１の背面９に形成された凹部12に収納されて取り付けられており、そして、後方開口部13を蓋状に覆って板状の覆い部材17がヘッド本体１に固着している。また覆い部材17の縁はヘッド本体１に固着している。
【００２５】
したがって、凹部12にゲル14を介してウエイト11は収納されているので、ヘッド本体１とウエイト11の慣性の相違を打撃に伴うゲル14の変形によって吸収し、この結果打感の低下を防止できる。さらに打撃に伴うゲル14Ａの変形によってウエイト11に付与される衝撃力を吸収できると共に、ウエイト11の外側に覆い部材17が設けられているので、打撃の衝撃によりウエイト11がさらにいっそうはずれにくくなる。
【産業上の利用可能性】
【００２６】
以上のように本発明にかかるゴルフクラブは、パターなど種々のものに適用できる。
【図面の簡単な説明】
【００２７】
【図１】本発明の実施例１を示す背面側斜視図である。
【図２】本発明の実施例１を示す正面側斜視図である。
【図３】本発明の実施例１を示す要部の断面図である。
【図４】本発明の実施例２を示す背面図である。
【図５】本発明の実施例２を示す正面図である。
【図６】本発明の実施例２を示す要部の断面図である。
【図７】本発明の実施例３を示す断面図である。
【図８】本発明の実施例４を示す断面図である。
【符号の説明】
【００２８】
１  ヘッド
２  シャフト
３  フェース
４  上面
５  ソール
６  トウ
８  シャフト取り付け部
11  ウエイト
12  凹部
14  ゲル
15  背面
【図１】
2006247068.tif 000003
【図２】
2006247068.tif 000004
【図３】
2006247068.tif 000005
【図４】
2006247068.tif 000006
【図５】
2006247068.tif 000007
【図６】
2006247068.tif 000008
【図７】
2006247068.tif 000009
【図８】
2006247068.tif 000010